(57)【要約】【課題】  他人に見られたくない個人情報等が含まれる通信文の部分をプリンターで印字した後に隠蔽することができる耐剥離性隠蔽ハガキを提供する。【解決手段】  宛先等を印字して表示する宛先欄と通信文等を印字した後に隠蔽される通信欄とが含まれハガキとなる領域であるハガキ領域と、折り返すことにより通信欄を隠蔽するための隠蔽領域とを有する基材紙と、  ハガキ領域と前記隠蔽領域との境界に形成された前記折り返すときに折目となるミシン目と、  隠蔽領域の表面におけるミシン目に近接する部位に形成された強接着層と、  隠蔽領域の表面における強接着層が形成されていない部位に形成された擬似接着層と、  グラシン紙と保護紙とを粘着層を介して貼り合せた構成であって、強接着層と擬似接着層を介して隠蔽領域の表面に貼り合せたタック紙と、  を有するようにした耐剥離性隠蔽ハガキ。【選択図】  図１
2009028927.tif 000002
【特許請求の範囲】
【請求項１】
宛先等を印字して表示する宛先欄と通信文等を印字した後に隠蔽される通信欄とが含まれハガキとなる領域であるハガキ領域と、折り返すことにより前記通信欄を隠蔽するための隠蔽領域とを有する基材紙と、
前記ハガキ領域と前記隠蔽領域との境界に形成された前記折り返すときに折目となるミシン目と、
前記隠蔽領域の表面における前記ミシン目に近接する部位に形成された強接着層と、
前記隠蔽領域の表面における前記強接着層が形成されていない部位に形成された擬似接着層と、
グラシン紙と保護紙とを粘着層を介して貼り合せた構成であって、前記強接着層と前記擬似接着層を介して前記隠蔽領域の表面に前記グラシン紙の表面において貼り合せたタック紙と、
を有することを特徴とする耐剥離性隠蔽ハガキ。
【請求項２】
請求項１記載の耐剥離性隠蔽ハガキにおいて、前記基材紙は前記ハガキ領域と前記隠蔽領域との組が横向きに３行配列する縦Ａ４サイズの基材紙であることを特徴とする耐剥離性隠蔽ハガキ。
【請求項３】
請求項２記載の耐剥離性隠蔽ハガキにおいて、前記基材紙の３行配列における２つの境界に形成された切り離しを容易にするためのミシン目を有することを特徴とする耐剥離性隠蔽ハガキ。
【発明の詳細な説明】
【技術分野】
【０００１】
本発明は特殊な形式の印刷物の技術分野に属する。特に、他人に見られたくない個人情報等が含まれる通信文の部分をプリンターで印刷した後に隠蔽することができる官製ハガキに関する。
【背景技術】
【０００２】
大学の図書館、民間の図書館、公共施設、レンタルショップ等においては、そこで借りた本、ＤＶＤ、ＣＤ等を所定の期限を過ぎたのに返さない利用者に対して督促を行なう。督促の方法としては、手書き、又は官製ハガキにプリンターで督促内容を印字して利用者宛に郵送する方法が一般的である。この場合、借りた本・ＤＶＤ・ＣＤ等の品名が官製ハガキに印字されているが、利用者が何を借りたのか、すぐに分かってしまう。家族・同僚など、個人の借りた商品を知られたくない場合もあり、個人情報保護の観点からもその部分は隠して郵送した方が望ましい。
また、ハガキを手書きするのは勿論、プリンターで印字するときでも一枚一枚のハガキに印字したのでは手間が掛かる。また、その借りた商品名を隠す方法においても、隠蔽ラベルを手で貼る作業を一枚一枚のハガキに行なっていては手間が掛かり過ぎる（特許文献１、特許文献２）。
【特許文献１】特開２００４−９０３２５
【特許文献２】特開２００６−１７８１６９
【発明の開示】
【発明が解決しようとする課題】
【０００３】
本発明は上記の問題を解決するためになされたものである。その目的は、他人に見られたくない個人情報等が含まれる通信文の部分をプリンターで印字した後に隠蔽することができ、しかも郵送中に隠蔽に使用した材料が自然剥離しない耐剥離性隠蔽ハガキを提供することにある。また、定型用紙１枚への印字により複数枚のハガキに印字することができ作業性の良い耐剥離性隠蔽ハガキを提供することにある。
【課題を解決するための手段】
【０００４】
本発明の請求項１に係る耐剥離性隠蔽ハガキは、  宛先等を印字して表示する宛先欄と通信文等を印字した後に隠蔽される通信欄とが含まれハガキとなる領域であるハガキ領域と、折り返すことにより前記通信欄を隠蔽するための隠蔽領域とを有する基材紙と、  前記ハガキ領域と前記隠蔽領域との境界に形成された前記折り返すときに折目となるミシン目と、  前記隠蔽領域の表面における前記ミシン目に近接する部位に形成された強接着層と、  前記隠蔽領域の表面における前記強接着層が形成されていない部位に形成された擬似接着層と、  グラシン紙と保護紙とを粘着層を介して貼り合せた構成であって、前記強接着層と前記擬似接着層を介して前記隠蔽領域の表面に前記グラシン紙の表面において貼り合せたタック紙と、  を有するようにしたものである。
また、本発明の請求項２に係る耐剥離性隠蔽ハガキは、  請求項１に係る耐剥離性隠蔽ハガキにおいて、前記基材紙は前記ハガキ領域と前記隠蔽領域との組が横向きに３行配列する縦Ａ４サイズの基材紙であるようにしたものである。
また、本発明の請求項３に係る耐剥離性隠蔽ハガキは、  請求項２に係る耐剥離性隠蔽ハガキにおいて、  前記基材紙の３行配列における２つの境界に形成された切り離しを容易にするためのミシン目を有するようにしたものである。
【発明の効果】
【０００５】
本発明の請求項１に係る耐剥離性隠蔽ハガキによれば、ハガキ領域に宛先等と通信文等を印字した後に、隠蔽領域の表面に形成された擬似接着層の表面に貼り合せたタック紙における保護紙を剥がし、ハガキ領域と隠蔽領域との境界に設けられたミシン目において隠蔽領域を折り返すことにより、通信文等を印字した通信欄を隠蔽領域によって隠蔽することができる。また、擬似接着層において隠蔽領域を再剥離することにより通信文等を表示することができ、一度表示すると再貼付は不可能であるから表示の痕跡が残る。また、強接着層において、グラシン紙と基材紙とが強接着しているから、ハガキとして郵送しているとき等の取扱いによって隠蔽領域（基材紙の隠蔽領域、等）が自然剥離するようなことがない。すなわち、耐剥離性有する。したがって、他人に見られたくない個人情報等が含まれる通信文の部分をプリンターで印字した後に隠蔽することができ、しかも郵送中に隠蔽に使用した材料が自然剥離しない耐剥離性隠蔽ハガキが提供される。また、擬似接着層において隠蔽領域を再剥離することにより通信文等を表示することができ、そのときには再剥離した痕跡が残ることから不正（盗み見）を防止することができる。
また、本発明の請求項２に係る耐剥離性隠蔽ハガキによれば、基材紙はハガキ領域と隠蔽領域との組が横向きに３行配列する縦Ａ４サイズとなっている。したがって、定型用紙１枚への印字により複数枚のハガキに印字することができ作業性の良い耐剥離性隠蔽ハガキが提供される。
また、本発明の請求項３に係る耐剥離性隠蔽ハガキによれば、基材紙の３行配列における２つの境界に形成された切り離しを容易にするためのミシン目を有する。したがって、印字し隠蔽した後に個別のハガキとなるように容易かつ正確に切り離すことができる。
【発明を実施するための最良の形態】
【０００６】
次に、本発明の実施の形態について図を参照しながら説明する。本発明の耐剥離性隠蔽ハガキにおける構成の一例を図１に示す。図１において、１は基材紙、２は擬似接着層、３はグラシン紙、４は粘着層、５は保護紙、６、７ａ，７ｂはミシン目、９は強接着層、１１，１１ａ，１１ｂ，１１ｃはハガキ領域、１２，１２ａ，１２ｂ，１２ｃは隠蔽領域、１１１ａ，１１１ｂ，１１１ｃは宛先欄、１１２ａ，１１２ｂ，１１２ｃは通信欄である。
基材紙１は宛先等を印字して表示する宛先欄と通信文等を印字した後に隠蔽される通信欄とが含まれハガキとなる領域であるハガキ領域と、折り返すことによりその通信欄を隠蔽するための隠蔽領域とを有する。個別のハガキとなるハガキ領域は、一般的には、ハガキの寸法となっている。たとえば、官製ハガキにおいては１００ｍｍ×１４８ｍｍとなっており、私製ハガキにおいては最小９０ｍｍ×１４０ｍｍ、最大１０７ｍｍ×１５４ｍｍとなっている。隠蔽領域は隠蔽される通信欄の寸法と同一の寸法またはそれよりも大きな寸法となる。
【０００７】
図１に一例を示すように、Ａ４サイズの定型用紙に３つのハガキ領域１１ａ，１１ｂ，１１ｃと３つの隠蔽領域１２ａ，１２ｂ，１２ｃとの各組を横向きに３行配列させるときには、Ａ４サイズの寸法である２９７ｍｍ×２１０ｍｍにハガキの寸法が制約される。したがって、ハガキ領域１１ａ，１１ｂ，１１ｃと隠蔽領域１２ａ，１２ｂ，１２ｃの１組の寸法は（２９７／３）ｍｍ×２１０ｍｍ＝９９ｍｍ×２１０となる。
図１に示すハガキ領域１１と隠蔽領域１２の境界、すなわちミシン目６の位置は、個別の耐剥離性隠蔽ハガキが私製ハガキの寸法に収まる範囲において任意の位置とすることができる。たとえば、ハガキ領域１１ａを９９ｍｍ×１４０ｍｍとするときには、隠蔽領域１２ａは９９ｍｍ×（２１０−１４０）ｍｍ＝９９ｍｍ×７０ｍｍとなる。すなわち、ハガキ領域１１ａの丁度半分である９９ｍｍ×７０ｍｍが宛先欄になり、残りの半分９９ｍｍ×７０ｍｍが通信欄になる。
【０００８】
図１に示す一例においては、Ａ４サイズの定型用紙にハガキ領域１１ａ，１１ｂ，１１ｃと隠蔽領域１２ａ，１２ｂ，１２ｃとの各組から構成された３つの耐剥離性隠蔽ハガキとなる部分が存在することになる。
ミシン目６は基材紙１におけるハガキ領域１１ａ，１１ｂ，１１ｃと隠蔽領域１２ａ，１２ｂ，１２ｃとの境界に形成され、基材紙１を折り返すときに折目となるミシン目である。このミシン目６によって折り返し作業が容易になり折り返し位置が正確になる。
また、ミシン目７ａ，７ｂは基材紙１の３つの耐剥離性隠蔽ハガキとなる部分の境界、すなわち３行配列における２つの境界に形成された切り離しのためのミシン目である。このミシン目７ａ，７ｂによって切り離し作業が容易になり切り離し位置が正確になる。このミシン目７ａ，７ｂは基材紙１だけでなく、擬似接着層２と保護紙３にも形成される。通常、ミシン目７ａ，７ｂは基材紙１に擬似接着層２を形成し保護紙３で覆った後に加工が行われる。
【０００９】
用紙の厚さは官製ハガキの場合は０．２２ｍｍである。本発明における基材紙１の厚さとしては、用紙の種類（剛性等の物性）によっても異なるが官製ハガキに準ずる厚さの紙を好適に使用することができる。本発明においては、上質紙であれば四六全判（７８８ｍｍ×１０９１ｍｍ）１０００枚の質量で５５〜７０Ｋｇのものを好適に使用することができる。基材紙１に使用することのできる用紙は、ハガキに向いた物性を有し、通信欄を隠蔽することができる光学特性（遮光性）を有する用紙である。そのような用紙であれば、用紙の種類は特に限定はない。上質紙、中質紙、コート紙、アート紙、マット紙、インクジェット用紙、フォト用紙、等を使用することができる。本発明は、基材紙１の裏面すなわち耐剥離性隠蔽ハガキの裏面の構成について特に限定されない。したがって、各種情報を提供する紙面、たとえば新規に貸し出しが可能な物品のお知らせ等を印刷する紙面として使用することができる。
【００１０】
擬似接着層２は基材紙１における隠蔽領域１２の表面における強接着層９が形成されていない部位に形成された層である。強接着層９は隠蔽領域１２の表面におけるミシン目６に近接する部位にだけ形成されいるから、隠蔽領域１２の表面の大部分には擬似接着層２が形成されている。また、擬似接着層２は、接着して後に剥離することができ、剥離の再に隠蔽した紙面を損傷しないような剥離性と不用意に剥離しないような適度の接着力を有する層、すなわち擬似接着することができる層である。このような擬似接着層２としては、たとえば、熱可塑性樹脂を用いたものや、感圧接着剤を用いたもの、再剥離再貼付する粘着剤を用いたもの、接着剤層／剥離層の層構成を用いたものなどを利用することができる。
【００１１】
擬似接着層２には、接着した後に剥離したときには再び接着（貼付）することが困難な性質を有するものと、接着（貼付）と剥離を繰り返すことができる性質を有するものとが存在する。前者においては剥離したことを示す明確な痕跡を残すことができるが、後者においては剥離したことを示す明確な痕跡を残すことができない。したがって、本発明においては、隠蔽した通信文が盗み見されたか否かを判別することができ、高いセキュリティ性が得られる後者の性質を有するものが好ましい。
【００１２】
グラシン紙３は紙に透明な物質、たとえばパラフィンを含浸させた紙であり、透明または半透明な光学的な物性を有する。グラシン紙３は透明または半透明であるから、グラシン紙３を通して反対側を見ることができる。グラシン紙３は、図１に示すように、一方の表面が擬似接着層２に接着し、他方の表面が粘着層４に接着している。したがって、基材紙１の隠蔽領域を折り返すことにより通信欄を隠蔽した後に、擬似接着層２において基材紙１を剥離すると、グラシン紙３を通して、通信欄を記載されている通信文を読取ることができる。したがって、いわゆるグラシン紙３に限らず、半透明または透明な光学的な物性を有するものであれば、プラスチックフィルム、その他のシートを本発明の耐剥離性隠蔽ハガキに使用することができる。勿論、グラシン紙３と同様に、擬似接着層２と粘着層４に接着し両者を分離する性質は有するものとする。
【００１３】
粘着層４はグラシン紙３の表面に形成され、グラシン紙３と同様に、半透明または透明な光学的な物性を有する粘着層である。粘着層４は透明または半透明であるから、粘着層４を通して反対側を見ることができる。粘着層４は基材紙１の隠蔽領域を折り返すことにより通信欄を隠蔽するときに、基材紙１の隠蔽領域を基材紙１の通信欄に接着させる役割を有する。粘着層４は基材紙１に対して強接着する。すなわち、基材紙１の隠蔽領域を剥離するときには、粘着層４においては剥離せず、擬似接着層２において剥離する。粘着層４は、周知の強粘着性を有する粘着剤を塗布することによりグラシン紙３の表面に形成される。
【００１４】
保護紙５は、粘着層４を介してグラシン紙３の表面に貼り合せた、粘着層４の表面を保護するための用紙である。したがって、ハガキ領域１１の通信欄を隠蔽領域１２によって隠蔽するときには、まず、保護紙５が剥がされ、隠蔽領域１２に形成された粘着層４の表面を露出する。次に、隠蔽領域１２を折り返してその露出した粘着層４の表面と通信欄の表面とを合わせて貼り付け通信欄を隠蔽する。
保護紙５における、粘着層４の表面と接触する表面には目止層（図示せず）を設けることができる。目止層は保護紙５の用紙の表面に目止剤を塗布することによって形成される。目止剤としては、たとえば、紫外線硬化型インキや架橋アクリルのように架橋された樹脂等をを使用することができる。粘着層４に強粘着性を持たせるときには、保護紙５が粘着層４から適度に剥がれ易くなるよう、目止剤として剥離性を有する、たとえばシリコン系の樹脂を適用することができる。
【００１５】
強接着層９は隠蔽領域１２の表面におけるミシン目６に近接する部位に形成された強接着層である。強接着層９は基材紙１の表面とグラシン紙３におけるミシン目６の側の辺付近とを強接着するための強接着層である。強接着層９の接着剤としては、水性の接着剤、エマルジョン系接着剤、ホットメルト系接着剤、等を使用することができる。強接着層９は、ミシン目６に沿って、その所定の近傍の位置にライン状に塗工を行なうことにより形成する。
グラシン紙３は、図１に示すように、この強接着層９とともに擬似接着層２を介して基材紙１の隠蔽領域１２の表面に接着している。隠蔽領域１２を折り返すことにより通信欄１１２ａ，１１２ｂ，１１２ｃを隠蔽したときに、ミシン目６はハガキ領域１１の辺の部分となる。この部分は郵送その他の取扱いにおいて外力が加わり易く、そのために外力の掛かり方によっては擬似接着層２が有する擬似接着力では隠蔽領域１２が剥がれることも有り得る。強接着層９は、そのようなことが起きない強接着力を有している。その一方で、強接着層は、基材紙１の表面とグラシン紙３におけるミシン目６の側の辺付近においてだけ強接着している。したがって、耐剥離性隠蔽ハガキの受取人が通信欄を表示させ通信文を読み取るために隠蔽領域１２を剥離しようとすれば容易に強接着層９が破壊し剥離する。
【００１６】
なお、ここでは、上述のグラシン紙３と保護紙５とを粘着層４を介して貼り合せた構成の部分をタック紙と呼ぶ。タック紙付隠蔽ハガキの製造方法として、たとえば、（１）あらかじめタック紙を製造しておき、（２）基材紙１における隠蔽領域１２の表面に擬似接着層２と強接着層９を塗工した後に、（３）その製造しておいたタック紙におけるグラシン紙３の側の表面を擬似接着層２の表面に圧を加えて貼り合せる方法を適用することができる。
【００１７】
以上、構成について説明した。次に、本発明の耐剥離性隠蔽ハガキの使用方法と機能について説明する。本発明の耐剥離性隠蔽ハガキの使用方法と機能についてフロー図として図２に示す。
まず、図２のステップＳ１（宛先・通信文を印刷）において、ハガキの発送人は、図１に示すＡ４サイズの基材紙１に３面付けした耐剥離性隠蔽ハガキに対して宛先と通信文の印刷を行う。
次に、ステップＳ２（粘着層を露出）において、ハガキの発送人は、隠蔽領域１２の粘着層４を保護している保護紙５を剥がす。このとき、保護紙５は粘着層４との接触面（貼付面）において剥離し、粘着層４はグラシン紙３の表面に残る。すなわち、基材紙１の隠蔽領域１２においては粘着層４の表面が露出した状態となる。
【００１８】
次に、ステップＳ３（貼り合せて隠蔽）において、送信者は、ハガキ領域１１と隠蔽領域１２との境界に形成されたミシン目６において基材紙１を折り曲げ、隠蔽領域１２をハガキ領域１１の通信欄１１２ａ，１１２ｂ，１１２ｃの側に折り返す。そして、隠蔽領域１２の粘着層４の表面と、調整紙８の表面である通信欄１１２ａ，１１２ｂ，１１２ｃの表面とを接触させ圧力を加える。これにより、隠蔽領域１２が通信欄１１２ａ，１１２ｂ，１１２ｃに貼り合わされて通信欄１１２ａ，１１２ｂ，１１２ｃが隠蔽される。
次に、ステップＳ４（個別ハガキに分離）において、ハガキの発送人は、Ａ４サイズの基材紙１に３面付けした耐剥離性隠蔽ハガキにおける２つの境界に形成されたミシン目７ａ，７ｂにおいて基材紙１、擬似接着層２、粘着層４の各々を切り離す。これにより、Ａ４サイズの基材紙１に３面付けした耐剥離性隠蔽ハガキは分離して個別の耐剥離性隠蔽ハガキになる。
【００１９】
次に、ステップＳ５（郵送）において、ハガキの発送人は、分離して個別となった耐剥離性隠蔽ハガキを郵送する。耐剥離性隠蔽ハガキは強接着層９を有するため隠蔽領域１２が耐剥離性を有する。したがって、この郵送における取扱い、その前後における取扱いにおいて、隠蔽領域１２が自然剥離することがない。
次に、ステップＳ６（送達）において、ハガキの受取人は、分離して個別となった耐剥離性隠蔽ハガキの中の１つ、たとえばハガキ領域１１ａを含む耐剥離性隠蔽ハガキを受け取る。
次に、ステップＳ７（隠蔽部を剥離）において、ハガキの受取人は、ハガキ領域１１ａの通信欄５ａを隠蔽している隠蔽領域１２ａを剥がす。このとき、基材紙１の隠蔽領域１２ａは擬似接着層２を貼付したまま基材紙１のハガキ領域１１ａから剥がれる。言い換えると、基材紙１のハガキ領域１１ａにおけるグラシン紙３の表面と、擬似接着層２および強接着層９との接触面（貼付面）において剥離し、擬似接着層２は基材紙１の隠蔽領域１２に残る。
次に、ステップＳ８（通信文の読取）において、ハガキの受取人は、隠蔽領域１２ａが剥されグラシン紙３が露出する。グラシン紙３と粘着層３は半透明または透明であるから通信欄５ａは透けて見えており、ハガキの受取人はそこに記載された通信文を読み取ることができる。
【図面の簡単な説明】
【００２０】
【図１】本発明の耐剥離性隠蔽ハガキにおける構成の一例を示す図である。
【図２】本発明の耐剥離性隠蔽ハガキの使用方法と機能について説明するフロー図である。
【符号の説明】
【００２１】
１  基材紙
２  擬似接着層
５  保護紙
４  粘着層
５  保護紙
６，７ａ，７ｂ  ミシン目
９  強接着層
１１，１１ａ，１１ｂ，１１ｃ  ハガキ領域
１２，１２ａ，１２ｂ，１２ｃ  隠蔽領域
１１１ａ，１１１ｂ，１１１ｃ  宛先欄
１１２ａ，１１２ｂ，１１２ｃ  通信欄
【図１】
2009028927.tif 000003
【図２】
2009028927.tif 000004